(57)【特許請求の範囲】
【請求項１】
色データを含む画像情報と色データを含む文字情報との双方を有するページ情報を入力する入力部と、入力されたページ情報のうちの画像情報と文字情報との双方に相互に異なる色変換を施す色変換部と、色変換後の画像情報と色変換後の文字情報との双方を有するページ情報を出力する出力部とを備えた色変換装置であって、
前記色変換部が、前記入力部から入力されたページ情報中にグラデーション情報が含まれている場合は該グラデーション情報を文字情報として色変換するものであることを特徴とする色変換装置。
【請求項２】
前記色変換部が、入力されたページ情報を構成する各単位情報が画像情報であるか文字情報であるかを判定するデータ判定手段を備え、該データ判定手段により判定された画像情報および文字情報をそれぞれ異なるファイルに記憶し、それぞれのファイルに記憶された画像情報および文字情報をそれぞれ別々に色変換するものであることを特徴とする請求項１記載の色変換装置。
【請求項３】
前記色変換部が、入力されたページ情報を構成する各単位情報が画像情報であるか文字情報であるかを判定するデータ判定手段を備え、入力されたページ情報を前記データ判定手段により判定しながら該判定された画像情報または文字情報を順次に色変換するものであることを特徴とする請求項１記載の色変換装置。
【請求項４】
前記色変換部が、前記入力部から入力されたページ情報中に平網情報が含まれている場合は該平網情報を文字情報として色変換するものであることを特徴とする請求項１記載の色変換装置。
【請求項５】
前記色変換部が、複数の色変換テーブルと、利用者の操作に基づき前記複数の色変換テーブルのうちのいずれか１つの色変換テーブルを選択する色変換テーブル選択手段とを備え、該色変換テーブル選択手段により選択された色変換テーブルに基づいて色変換を行うものであることを特徴とする請求項１記載の色変換装置。
【請求項６】
前記入力部が、３要素色空間データを含むページ情報を入力するものであり、前記出力部が、インク系の色データを１色以上含むページ情報を出力するものであることを特徴とする請求項１記載の色変換装置。
【請求項７】
前記入力部が、ＲＧＢ色空間データを含むページ情報を入力するものであり、前記出力部が、ＣＭＹＫ色空間データを含むページ情報を出力するものであることを特徴とする請求項１記載の色変換装置。
【請求項８】
前記出力部が、ページ情報を出力するに際してレイアウト記述情報に基づき記述されたページ情報として、またはラスタ展開されたページ情報として出力するものであることを特徴とする請求項１記載の色変換装置。
【請求項９】
色データを含む画像情報と色データを含む文字情報との双方を有するページ情報を入力する入力部と、入力されたページ情報のうちの画像情報と文字情報との双方に相互に異なる色変換を施す色変換部と、色変換後の画像情報と色変換後の文字情報との双方を有するページ情報を出力する出力部とを備えた色変換装置をコンピュータネットワーク上に形成するための色変換プログラムが記憶された色変換プログラム記憶媒体であって、
前記色変換部が、前記入力部から入力されたページ情報中にグラデーション情報が含まれている場合は該グラデーション情報を文字情報として色変換するものであることを特徴とする色変換プログラム記憶媒体。
【発明の詳細な説明】
【０００１】
【発明の属する技術分野】
本発明は、画像情報および文字情報からなるページ情報に含まれる色データを異なった色データに色変換する色変換装置に関する。
【０００２】
【従来の技術】
従来、印刷業界における製版工程で、カラー印刷されるページ情報に含まれる色データを異なった色データに色変換したいというニーズがあり、このようなニーズに応える色変換装置が種々開発され広く用いられるようになりつつある。
【０００３】
【発明が解決しようとする課題】
しかし、従来の色変換装置では、ページ情報に含まれている文字情報、画像情報、あるいは画像情報の１種である平網情報やグラデーション情報などをすべて同じ色変換テーブルで色変換しているため、色変換後の文字の色の鮮やかさが不足したり、自然画像の色調が不自然なものとなったり、グラデーション情報の領域内の色の連続性が損なわれたりして画像の品質が低下するという問題がある。
【０００４】
また、近年、パーソナルコンピュータやワークステーションのワープロソフトやＤＴＰ（Ｄｅｓｋ  Ｔｏｐ  Ｐｕｂｌｉｓｈｉｎｇ）ソフトなどの発展に伴い、これらのソフトで作成されたページ情報を、印刷インクを用いる印刷機に入力して本格的な印刷物を得たいという要求が高まっている。しかし、ワープロソフトやＤＴＰソフトから出力されるページ情報は基本的にＲＧＢ（Ｒｅｄ：赤、Ｇｒｅｅｎ：緑、Ｂｌｕｅ：青）色空間データとして作成されるのに対して、印刷機側で取り扱うページ情報は印刷インク用のＣＭＹＫ（Ｃｙａｎ：シアン、Ｍａｇｅｎｔａ：マゼンタ、Ｙｅｌｌｏｗ：イエロー、Ｂｌａｃｋ：黒）色空間データとして作成される。従って、ワープロソフトやＤＴＰソフトで作成されたＲＧＢ色空間データからなるページ情報を印刷機で取り扱えるようにするためには、ＣＭＹＫ色空間データからなるページ情報に色変換する必要がある。
【０００５】
このＲＧＢ色空間データからＣＭＹＫ色空間データへの色変換においても上記と同様、ページ情報に含まれている文字情報、画像情報、あるいは平網情報やグラデーション情報がすべて同じ色変換テーブルで色変換されるので、変換後の各情報の色が不満足なものとなることが多い。
【０００６】
本発明は、上記の事情に鑑み、ページ情報に含まれる画像情報および文字情報の双方について満足な色に色変換することのできる色変換装置を提供することを目的とする。
【０００７】
【課題を解決するための手段】
上記の目的を達成する本発明の色変換装置は、
色データを含む画像情報と色データを含む文字情報との双方を有するページ情報を入力する入力部と、入力されたページ情報のうちの画像情報と文字情報との双方に相互に異なる色変換を施す色変換部と、色変換後の画像情報と色変換後の文字情報との双方を有するページ情報を出力する出力部とを備えたことを特徴とする。
【０００８】
ここで、上記色変換部が、入力されたページ情報を構成する各単位情報が画像情報であるか文字情報であるかを判定するデータ判定手段を備え、データ判定手段により判定された画像情報および文字情報をそれぞれ異なるファイルに記憶し、それぞれのファイルに記憶された画像情報および文字情報をそれぞれ別々に色変換するものであることが好ましい。
【０００９】
また、上記色変換部が、入力されたページ情報を構成する各単位情報が画像情報であるか文字情報であるかを判定するデータ判定手段を備え、入力されたページ情報を上記データ判定手段により判定しながら、判定された画像情報または文字情報を順次に色変換するものであることも好ましい。
【００１０】
また、上記色変換部が、上記入力部から入力されたページ情報中に平網情報が含まれている場合はその平網情報を文字情報として色変換するものであることも好ましい。ここで、平網情報とは、ページ情報中に一定の広さ以上の領域にわたって同一のデータ構造を有する情報が繰り返されて形成される情報をいう。
【００１１】
また、上記色変換部が、上記入力部から入力されたページ情報中にグラデーション情報が含まれている場合はそのグラデーション情報を文字情報として色変換するものであることも好ましい態様である。ここで、グラデーション情報とは、ページ情報中に、一方向に並ぶデータ列の各画像データの濃度が連続的に変化するパターンが上記一方向と交わる方向に繰り返されて形成される情報をいう。
【００１２】
さらに、上記色変換部が、複数の色変換テーブルと、利用者の操作に基づき上記複数の色変換テーブルのうちのいずれか１つの色変換テーブルを選択する色変換テーブル選択手段とを備え、その色変換テーブル選択手段により選択された色変換テーブルに基づいて色変換を行うものであることも好ましい態様の一つである。
【００１３】
また、上記入力部が、３要素色空間データを含むページ情報を入力するものであり、上記出力部が、インク系の色データを１色以上含むページ情報を出力するものであってもよく、また、上記入力部が、ＲＧＢ色空間データを含むページ情報を入力するものであり、上記出力部が、ＣＭＹＫ色空間データを含むページ情報を出力するものであってもよい。
【００１４】
さらに、上記出力部が、ページ情報を出力するに際してレイアウト記述情報に基づき記述されたページ情報として、またはラスタ展開されたページ情報として出力するものであってもよい。
【００１５】
また、上記の目的を達成する本発明の色変換プログラム記憶媒体は、
色データを含む画像情報と色データを含む文字情報との双方を有するページ情報を入力する入力部と、入力されたページ情報のうちの画像情報と文字情報との双方に相互に異なる色変換を施す色変換部と、色変換後の画像情報と色変換後の文字情報との双方を有するページ情報を出力する出力部とを備えた色変換装置をコンピュータネットワーク上に形成するための色変換プログラムが記憶されたことを特徴とする。
【００１６】
なお、本発明にいう「ページ情報」とは、１つのページに含まれる情報をいうが、ここで、「１つのページ」とは、複数のページが面付けまたは大貼りされて１つのページとして再構成されたものをも含む。
【００１７】
【発明の実施の形態】
以下に、本発明の実施の形態について説明する。
【００１８】
図１は、本発明の色変換装置の一実施形態が形成されてなるコンピュータシステムの一部分を示す図である。
【００１９】
ここには、５台のクライアントマシン１００＿１，１００＿２，１００＿３，１００＿４，１００＿５と、１台のスキャナ２００と、１台のＤＴＰ（ＤｅｓｋＴｏｐ  Ｐｕｂｌｉｓｈｉｎｇ）サーバ３００と、２台のＲＩＰ（リッパー）４００＿１，４００＿２とからなるクライアントアンドサーバ型のコンピュータシステムが示されている。
【００２０】
これらのクライアントマシン１００＿１，１００＿２，１００＿３，１００＿４，１００＿５、スキャナ２００、およびＲＩＰ４００＿１，４００＿２は、比較的小型のワークステーションまたはパーソナルコンピュータなどで構成されており、これら各クライアントマシン、スキャナ、ＤＴＰサーバ、および各ＲＩＰは、ＬＡＮ（Ｌｏｃａｌ  Ａｒｅａ  Ｎｅｔｗｏｒｋ）６００を介して相互に接続されている。
【００２１】
スキャナ２００は、用紙上に形成されている画像を読み取り、読み取った画像データをＬＡＮ６００を介して各クライアントマシンに送付する。
【００２２】
各クライアントマシンでは、スキャナ２００から送られてきた画像データを元にページ情報が作成され、または、例えば、“Ｉｌｕｓｔｒａｔｏｒ（Ｒ）”などのＤＴＰソフトにより、ＰＳ（Ｐｏｓｔ  Ｓｃｒｉｐｔ）言語で記述されたページ情報が作成され、それらのページ情報がＬＡＮ６００を介してＤＴＰサーバ３００に送付される。
【００２３】
ＤＴＰサーバ３００は、比較的大型のワークステーションなどで構成されており、各クライアントマシンまたは他のマシンで作成された、ＰＳ言語で記述されたページ情報、またはＰＤＦ（Ｐｏｒｔａｂｌｅ  Ｄｏｃｕｍｅｎｔ  Ｆｏｒｍａｔ）で記述されたページ情報を受け取り、ＤＴＰサーバ３００内部に形成された色変換装置により色変換を行い、色変換後のページ情報をＬＡＮ６００を介して各ＲＩＰに送付する。
【００２４】
各ＲＩＰは、ＤＴＰサーバ３００から送られてきたページ情報についてラスタ展開を行い、各ＲＩＰそれぞれに備えられたプレートセッタ８００から印刷用の刷版（ｐｌａｔｅ）を出力するか、またはプリンタ９００から刷版製作用のフィルムを出力する。
【００２５】
各クライアントマシン、スキャナ、ＤＴＰサーバ、および各ＲＩＰは、ＣＰＵ（中央処理装置）、ＲＡＭ（ランダムアクセスメモリ）、ハードディスク、通信用ボード等が内蔵された本体部１０１＿１，１０１＿２，１０１＿３，１０１＿４，１０１＿５，２０１，３０１、４０１＿１，４０１＿２、これら各本体部からの指示により画面上に画像情報や文字情報を表示する表示部１０２＿１，１０２＿２，１０２＿３，１０２＿４，１０２＿５，２０２，３０２，４０２＿１，４０２＿２、これら各本体部に利用者の指示を入力するためのキーボード１０３＿１，１０３＿２，１０３＿３，１０３＿４，１０３＿５，２０３，３０３，４０３＿１，４０３＿２を備えている。
【００２６】
各クライアントマシン、スキャナ、ＤＴＰサーバ、および各ＲＩＰの本体部は、それぞれＦＤ（フロッピィディスク）、ＣＤ−ＲＯＭが装填されるＦＤドライブ、およびＣＤ−ＲＯＭドライブを有しており、それらの内部には、それらのドライブに装填されたＦＤ、ＣＤ−ＲＯＭをドライブするフロッピィディスクドライバ、ＣＤ−ＲＯＭドライバも内蔵されている。
【００２７】
また、ＤＴＰサーバ３００のハードディスクには、後述する本実施形態の色変換装置が形成されている。
【００２８】
図２は、図１に示す外観を有する色変換装置（コンピュータシステム）のハードウェア構成図である。
【００２９】
このハードウェア構成図には、ＣＰＵ１１１、ＲＡＭ１１２、ハードディスクコントローラ１１３、フロッピィディスクドライバ１１４、ＣＤ−ＲＯＭドライバ１１５、マウスコントローラ１１６、キーボードコントローラ１１７、ディスプレイコントローラ１１８、および通信用ボード１１９が示されており、それらはバス１１０で相互に接続されている。
【００３０】
フロッピィディスクドライバ１１４、ＣＤ−ＲＯＭドライバ１１５は、それぞれフロッピィディスク７１０、ＣＤ−ＲＯＭ７００が装填され、装填されたフロッピィディスク７１０、ＣＤ−ＲＯＭ７００をドライブするものである。
【００３１】
通信用ボード１１９はＬＡＮ６００に接続される。
【００３２】
さらに、図２には、ハードディスクコントローラ１１３によりアクセスされるハードディスク１２０、マウスコントローラ１１６により制御されるマウス１０４、キーボードコントローラ１１７により制御されるキーボード１０３、およびディスプレイコントローラ１１８により制御されるＣＲＴディスプレイ１０２も示されている。
【００３３】
以上説明したコンピュータシステム上に本発明の色変換装置が形成され、ページ情報の色変換処理が行われる。
【００３４】
図３は、本発明の色変換装置の一実施形態の概略構成図である。
【００３５】
図３に示すように、この色変換装置１０は、色データを含む画像情報と色データを含む文字情報との双方を有するページ情報１１を入力する入力部１２と、入力されたページ情報のうちの画像情報と文字情報との双方に相互に異なる色変換を施す色変換部１３と、色変換後の画像情報と色変換後の文字情報との双方を有する、製版処理済みのページ情報１８を出力する出力部１７とを備えている。
【００３６】
本実施形態では、上記の色変換部１３は、入力されたページ情報１１を構成する各単位情報が画像情報であるか文字情報であるかを判定するデータ判定手段１４を備え、入力されたページ情報１１をデータ判定手段１４により判定しながら、判定された画像情報または文字情報を順次に色変換して出力部１７に渡すように構成されている。
【００３７】
また、本実施形態の色変換部１３は、複数の色変換テーブル１６と、利用者の操作に基づきこれら複数の色変換テーブル１６のうちのいずれか１つの色変換テーブルを選択する色変換テーブル選択手段１５とを備え、色変換テーブル選択手段１５により選択された色変換テーブルに基づいて色変換を行うように構成されている。この色変換テーブルは、上記のように色変換部１３内に予め備えておいた色変換テーブル１６を用いてもよいが、それに限らず、利用者が自由に作成して色変換部１３内部に記憶させておきそれを選択して用いるようにしてもよい。
【００３８】
なお、本実施形態における出力部１７を、ページ情報を出力するに際してレイアウト記述情報に基づき記述されたページ情報として、またはラスタ展開されたページ情報として出力するものとして構成してもよく、そのように構成することにより製版処理工程全体の効率を向上させることができる。
【００３９】
次に、この色変換装置１０によるページ情報の色変換処理について説明する。
【００４０】
第１段階：利用者は、予め、色変換を行うページ情報に適合した、文字情報用の色変換テーブルと画像情報用の色変換テーブルとを選択しておく。
【００４１】
第２段階：利用者は、色変換装置１０（図３参照）にＰＳページ情報１１またはＰＤＦページ情報１１（ＲＧＢを含む）を入力する。
【００４２】
第３段階：色変換装置１０のデータ判定手段１４は、入力されたＰＳページ情報またはＰＤＦページ情報の内部構造を解析してページ情報を構成する各単位情報が画像情報であるか文字情報であるかの判別を行い、画像情報部分を抜き出すことにより画像情報部分を画像情報ファイルに記憶するとともに、画像情報部分以外の部分を文字情報ファイルに記憶する。
【００４３】
第４段階：画像情報ファイルは色変換部１３に形成された画像用色変換モジュール（図示せず）により色変換処理が施され、文字情報ファイルは色変換部１３に形成された文字用色変換モジュール（図示せず）により色変換処理が施される。
【００４４】
第５段階：色変換処理後の画像情報ファイルおよび文字情報ファイルを１つのＰＤＦファイルにマージした後、出力部１７から出力する。
【００４５】
なお、本実施形態では、上記のように、色変換部１３は、データ判定手段１４により判定された画像情報と文字情報とをそれぞれ異なるファイルに記憶し、それぞれのファイルに記憶された画像情報および文字情報をそれぞれ別々の色変換モジュールにより色変換するように構成されているが、必ずしもこのように判定した画像情報および文字情報をそれぞれ異なるファイルに記憶し別々の色変換モジュールにより色変換する必要はなく、例えば、入力されたページ情報をデータ判定手段１４により判定しながら、判定された画像情報または文字情報を順次に色変換するように、色変換部１３を構成してもよい。しかし、上記のように画像情報と文字情報とをそれぞれ異なるファイルに記憶した後、色変換する方式を採用することにより、例えば、画像情報が記憶されたファイルの色変換処理と、文字情報が記憶されたファイルの色変換処理とを別のＤＴＰサーバで実行することができるので、処理効率を大幅に向上させることが可能となる。
【００４６】
なお、上記第３段階において、入力部から入力されたページ情報中に平網情報が含まれている場合には、本実施形態の色変換部では、その平網情報を文字情報として色変換するものとして構成しており、このように構成したことによって、平網情報を画像情報と同じ色変換テーブルで色変換した場合に平網情報部分の色がぼやけた色となることが防止される。
【００４７】
また、同様に、上記第３段階において、入力部から入力されたページ情報中にグラデーション情報が含まれている場合には、本実施形態の色変換部では、そのグラデーション情報を文字情報として色変換するものとして構成しており、このように構成したことによって、グラデーション情報をグラデーション情報にふさわしい連続性を持った色に変換することができる。
【００４８】
図４は、本実施形態の色変換装置により処理されるページ情報の１例を示す図である。
【００４９】
図４に示すように、このページ情報２０には、“Ａ”から“Ｚ”までの文字情報が記された文字情報領域２１と、山の絵を表す画像情報が描かれた画像情報領域２２と、円グラフを表すラインアート情報領域２３とを含んでいる。
【００５０】
図５は、図４に示したページ情報をＰＤＦで記述したレイアウト記述文を示す図である。
【００５１】
図５に示すように、第１行目から第７行目までには、図４の文字情報領域２１について記述されている。
【００５２】
すなわち、第１行目の“ＢＴ”は文字情報領域の描画開始を表しており、第７行目の“ＢＥ”は文字情報領域の描画の終了を表している。
【００５３】
第２行目の“０  ０  ０ｒ”のうち“ｒ”は、ＲＧＢ色空間であることを表しており、“０  ０  ０”は黒色であることを表している。なお、“ｒ”の代わりに“ｋ”が記述されている場合はＣＭＹＫ色空間であることを表す。
【００５４】
第３行目および第５行目はそれぞれ描画位置を指定するものである。
【００５５】
第４行目および第６行目の“（”と“）”で挟まれた区間は文字列を表しており、第４行目および第６行目の末尾の“Ｔｊ”は、文字列を描画せよという命令を表している。
【００５６】
次に、１行空けて第９行目以下には、図４の画像情報領域２２について記述されている。すなわち、第９行目には描画位置の指定があり、第１０行目には“Ｉｍ１”というタグの付された画像データを描画せよとの命令が記述されている。この“Ｉｍ１”なる画像データは、図示しない所定のデータ記憶領域に、縦横の画素数や色空間の情報とともにラスター化された画像データとして格納されている。
【００５７】
次に、１行空けて第１２行目から第２７行目までに、図４のラインアート情報領域２３について記述されている。そのうち、第１２行目から第１９行目までは、図４のラインアート情報領域２３のうちの円のラインアート情報の描画に関する記述であり、第２１行目から第２７行目までは、図４のラインアート情報領域２３のうちの円弧のラインアート情報の描画に関する記述である。
【００５８】
すなわち、第１２行目の“１  ０  ０ｒ”は、赤色を表しており、第１３行目から第１７行目までは、どこにどのような円を描くかを表しており、第１８行目の“ｈ”は、ラインを閉じる、すなわち閉図形とするという命令を表し、第１９行目の“ｆ”は、円の図形内を塗りつぶせという命令を表している。
【００５９】
また、第２１行目の“０  ０  １ｒ”は、青色を表しており、第２２行目から第２５行目までは、どこにどのような円弧を描くかを表しており、第２６行目の“ｈ”は、ラインを閉じる、すなわち閉図形とするという命令を表し、第２７行目の“ｆ”は、円の図形内を塗りつぶせという命令を表している。
【００６０】
このように、描画命令が、文字情報領域、ラインアート情報領域、画像情報領域ごとに全く別々に記述されているので、本実施形態のデータ判定手段１４（図３参照）は、ページ情報を構成する各単位情報が画像情報、文字情報、ラインアート情報のいずれであるかを容易に判定することができる。
【００６１】
次に、色変換処理について説明する。先ず、黒についてであるが、図５に示した例では、図４の文字情報領域２１の描画色は、“０００ｒ”として表されている。これは、ＲＧＢ色空間で、ＲＧＢ各色を０％で描画する、つまり黒色で描画するということを示している。
【００６２】
ここで、本実施形態の色変換装置における入力部１２（図３参照）を、ＲＧＢ色空間データを含むページ情報を入力するものとし、出力部１７（図３参照）が、ＣＭＹＫ色空間データを含むページ情報を出力するものとして色変換装置１０を構成した場合は、“０００ｒ”として表された記述が“０００１ｋ”という記述に変換される。これは、ＣＭＹＫ色空間で、ＣＭＹを０％、Ｋを１００％で変換するということを示している。なお、ＲＧＢでは数字が小さいほど色が濃く、ＣＭＹＫでは数字が大きいほど色が濃いことを表している。
【００６３】
ＣＭＹＫでは黒色を表すのに“１１１０ｋ”とすることも理論的には可能であるが、実際の印刷時には微妙な色ずれ等により、しまりのない黒色となり実用に適さないので、“０００１ｋ”が用いられることが多い。
【００６４】
しかし、画像情報の場合は、たまたま“０００ｒ”で示される画素があったとしてもそのすぐ隣は、いずれかの色が少し抜けた色となっている可能性が高い。従って、“０００ｒ”の画素だけを“１１１０ｋ”にすると周囲との連続性がなくなり、不自然な画像となる恐れがある。従って、周囲の色との兼ね合いもあるが“０．５  ０．５  ０．５  ０．５ｋ”等の中間調を維持した変換を行う必要がある。
【００６５】
次に、青色の色変換処理について説明する。
【００６６】
図５に示した例では、図４のラインアート情報領域２３の描画色は、“００１ｒ”として表されている。この「青」は、ＤＴＰソフトで作られモニタ上に表示された「青」であり、かなり鮮やかな青色である。さらに記憶色でもあるので、鮮やかさが重要な要素となる。しかし、この“００１ｒ”を単純にＣＭＹＫ変換すると“１１００ｋ”となり、そのまま印刷したのでは、かなり赤みがかった渋い青となってしまい、最初にモニタ上に表示された「青」とはかなり異なった印象を見る人に与える。
【００６７】
このようなＣＭＹＫ変換による色の違いの発生を防止するため、テキスト情報やラインアート情報の“００１ｒ”などの色は、より鮮やかさを強調したＣＭＹＫの色、例えば“１  ０．７  ０．２  ０ｋ”などに変換する必要がある。しかし、このような色変換を自然画像に対して施した場合は、鮮やかさが強調され不自然な色となって、画像の自然さが失われてしまう。つまり、画像情報と文字情報との双方を有するページ情報は、それぞれの情報に適合した色変換テーブルで色変換を行うことが必要である。
【００６８】
なお、上記の色変換処理の例では、本実施形態の色変換装置１０が、ＲＧＢ色空間データを含むページ情報をＣＭＹＫ色空間データを含むページ情報に変換する例について説明したが、本発明の色変換装置は必ずしもこの例に限らず、例えば、３要素色空間データを含むページ情報を、インク系の色データを１色以上含むページ情報に変換するものであってもよい。
【００６９】
次に、本実施形態の色変換プログラム記憶媒体について説明する。
【００７０】
図６は、本実施形態の 色変換色変換プログラム記憶媒体の概略構成図である。
【００７１】
図６に示すように、本実施形態の色変換プログラム記憶媒体４０は、以上説明した、色データを含む画像情報と色データを含む文字情報との双方を有するページ情報１１を入力する入力部１２と、入力されたページ情報のうちの画像情報と文字情報との双方に相互に異なる色変換を施す色変換部１３と、色変換後の画像情報と色変換後の文字情報との双方を有するページ情報１８を出力する出力部１７とを備えた色変換プログラム３０が記憶される。この場合の入力部１２、色変換部１３、および出力部１７は、コンピュータの記憶装置上に形成されたソフトウエア部分を表しており、図３に示した色変換装置における入力部１２、色変換部１３、および出力部１７が、コンピュータシステム上に形成された色変換装置のハードウエア部分とソフトウエア部分とが組み合わされたものとは異なっている。
【００７２】
なお、色変換プログラム記憶媒体４０の記憶媒体の種類は特に限定されるものではなく、色変換プログラム３０を記憶することのできる記憶媒体であればどのような記憶媒体でもよい。例えば、ＣＤ−ＲＯＭ、ＣＤ−Ｒ／ＲＷ、ＭＯ（光磁気ディスク）、フロッピーディスクなどの所望の記憶媒体を用いることができる。
【００７３】
このような色変換プログラム記憶媒体４０に記憶された色変換プログラム３０をクライアントマシン３００，４００，５００（図１参照）のＣＤ−ＲＯＭドライブ３０１ｂ，４０１ｂ，５０１ｂ（図１参照）に装填して色変換プログラム３０をこれら各クライアントマシンに読み込ませてクライアントマシン内の記憶装置にインストールすることにより本発明の色変換装置を容易に形成することができる。
【００７４】
【発明の効果】
以上説明したように、本発明の色変換装置によれば、画像情報と文字情報との双方を有するページ情報を入力し、画像情報と文字情報との双方に相互に異なる色変換を施し、色変換後の画像情報と色変換後の文字情報との双方を有するページ情報を出力するように構成したことにより、ページ情報に含まれる画像情報および文字情報の双方について満足な色に色変換することのできる色変換装置を実現することができる。
【００７５】
また、本発明の色変換プログラム記憶媒体によれば、上記のような色変換装置をコンピュータシステム上に容易に形成することができる。
【図面の簡単な説明】
【図１】本発明の色変換装置の一実施形態が形成されてなるコンピュータシステムの一部分を示す図である。
【図２】図１に示す外観を有する色変換装置（コンピュータシステム）のハードウェア構成図である。
【図３】本発明の色変換装置の一実施形態の概略構成図である。
【図４】本実施形態の色変換装置により処理されるページ情報の１例を示す図である。
【図５】図４に示したページ情報をＰＤＦで記述したレイアウト記述文を示す図である。
【図６】本実施形態の 色変換色変換プログラム記憶媒体の概略構成図である。
【符号の説明】
１０    色変換装置
１１    ページ情報
１２    入力部
１３    色変換部
１４    データ判定手段
１５    色変換テーブル選択手段
１６    色変換テーブル
１７    出力部
１８    製版処理済みのページ情報
２０    ページ情報
２１    文字情報領域
２２    画像情報領域
２３    ラインアート情報領域
３０    色変換プログラム
４０    色変換プログラム記憶媒体
１００＿１、１００＿２，１００＿３，１００＿４，１００＿５    クライアントマシン
１０１＿１、１０１＿２，１０１＿３，１０１＿４，１０１＿５    本体部
１０２＿１、１０２＿２，１０２＿３，１０２＿４，１０２＿５    表示部
１０３＿１、１０３＿２，１０３＿３，１０３＿４，１０３＿５    キーボード
１１０    バス
１１１    ＣＰＵ
１１２    ＲＡＭ
１１３    ハードディスクコントローラ
１１４    フロッピィディスクドライバ
１１５    ＣＤ−ＲＯＭドライバ
１１６    マウスコントローラ
１１７    キーボードコントローラ
１１８    ディスプレイコントローラ
１１９    通信用ボード
１２０    ハードディスク
２０１    本体部
２０２    表示部
２０３    キーボード
３００＿１、３００＿２，３００＿３，３００＿４，３００＿５    ＤＴＰサーバ
３０１    本体部
３０２    表示部
３０３    キーボード
４０１＿１、４０１＿２    本体部
４０２＿１、４０２＿２    表示部
４０３＿１、４０３＿２    キーボード
６００    ＬＡＮ
７００    ＣＤ−ＲＯＭ
７１０    フロッピィディスク
８００    プレートセッタ
９００    プリンタ
【図１】
0004105367.tif 000002
【図２】
0004105367.tif 000003
【図３】
0004105367.tif 000004
【図４】
0004105367.tif 000005
【図５】
0004105367.tif 000006
【図６】
0004105367.tif 000007